(57)【要約】【課題】熱中症を予防したいユーザ、及び、清涼感を得たいユーザの需要に答えることである。【解決手段】ユーザの右側の脇下部に該当する部分に、冷却部材５を収納可能な右側袋部２Ｒと、ユーザの左側の脇下部に該当する部分に、冷却部材５を収納可能な左側袋部と、を有し、右側袋部２Ｒ及び右側袋部には、少なくとも、ユーザの上下方向に切込み部分２６が形成されており、切込み部分２６は、ユーザが装着した状態でも体温調節部材を出し入れ可能な長さに形成されている。【選択図】図４
2018044251.tif 000002
【特許請求の範囲】
【請求項１】
ユーザの右側の脇下部に該当する部分に、体温調節部材を収納可能な右側袋部と、
ユーザの左側の脇下部に該当する部分に、体温調節部材を収納可能な左側袋部と、を有し、
前記右側袋部及び前記左側袋部には、少なくとも、ユーザの上下方向に切込み部分が形成されており、
前記切込み部分は、ユーザが装着した状態でも体温調節部材を出し入れ可能な長さに形成されている
ウェア。
【請求項２】
前記切込部は、ユーザの脇下よりもユーザの胸側に形成されている
請求項１に記載のウェア。
【請求項３】
前記右側袋部及び前記右側袋部内に入れられる体温調整部材は、ユーザの上下方向が、ユーザの左右方向よりも長く形成される
請求項１又は２に記載のウェア。
【請求項４】
前記切込み部分には、ファスナが設けられている
請求項１〜３のいずれか１項に記載のウェア。
【請求項５】
前記右側ファスナ及び前記左側ファスナは、上下方向に動かすことによって開閉可能に形成され、
前記右側ファスナ及び前記左側ファスナは、ユーザの脇下よりも胸側に形成している
請求項４に記載のウェア。
【請求項６】
前記切込み部分は、下方向に行くに従い、ユーザの脇下部分に近づく様に斜めに形成されている
請求項５に記載のウェア。
【請求項７】
前記切込み部分の少なくとも一方側には、ユーザ側とは反対側の布の他の部分より曲げ強度が高く形成されている
請求項４〜６のいずれか１項に記載のウェア。
【請求項８】
前記右側袋部及び前記右側袋部のユーザ側とは反対側の布は、少なくとも、前記ウェアの前記右側袋部及び前記右側袋部以外の部分よりも、断熱性が高く形成される
請求項１〜７のいずれか１項に記載のウェア。
【請求項９】
前記シャツは、胸の真ん中に中央ファスナが形成されている
請求項１〜８のいずれか１項に記載のウェア。
【請求項１０】
ユーザの肘よりも胴体側に袖部の終端が形成されている
請求項１〜９のいずれか１項に記載のウェア。
【請求項１１】
吸汗速乾生地により形成される。
請求項１〜１０のいずれか１項に記載のウェア。
【発明の詳細な説明】
【技術分野】
【０００１】
本発明は、熱中症防止及び冷感作用のあるシャツに関する。
【背景技術】
【０００２】
特許文献１には、冷却部材をユーザの脇に保持する技術が開示されている。
【先行技術文献】
【特許文献】
【０００３】
【特許文献１】特開２０１４−１０９０７６号公報
【発明の概要】
【発明が解決しようとする課題】
【０００４】
炎天下の作業時又は温度湿度が高い環境下にいる場合等に、熱中症防止の必要性がある。
又は、熱中症のおそれがなくても、冷感作用による清涼感をユーザが求める場合がある。
本発明の課題の一例は、熱中症を予防したいユーザ、及び、清涼感を得たいユーザの需要に答えることである。
【課題を解決するための手段】
【０００５】
本発明のウェアは、ユーザの右側の脇下部に該当する部分に、体温調節部材を収納可能な右側袋部と、ユーザの左側の脇下部に該当する部分に、体温調節部材を収納可能な左側袋部と、を有し、前記右側袋部及び前記左側袋部には、少なくとも、ユーザの上下方向に切込み部分が形成されており、前記切込み部分は、ユーザが装着した状態でも体温調節部材を出し入れ可能な長さに形成されている。
【０００６】
好適には、前記切込部は、ユーザの脇下よりもユーザの胸側に形成されている。
【０００７】
好適には、前記右側袋部及び前記右側袋部内に入れられる体温調整部材は、ユーザの上下方向が、ユーザの左右方向よりも長く形成される。
【０００８】
好適には、前記切込み部分には、ファスナが設けられている。
【０００９】
好適には、前記右側ファスナ及び前記左側ファスナは、上下方向に動かすことによって開閉可能に形成され、前記右側ファスナ及び前記左側ファスナは、ユーザの脇下よりも胸側に形成している。
【００１０】
好適には、前記切込み部分は、下方向に行くに従い、ユーザの脇下部分に近づく様に斜めに形成されている。
【００１１】
好適には、前記切込み部分の少なくとも一方側には、ユーザ側とは反対側の布の他の部分より曲げ強度が高く形成されている。
【００１２】
好適には、前記右側袋部及び前記右側袋部のユーザ側とは反対側の布は、少なくとも、前記ウェアの前記右側袋部及び前記右側袋部以外の部分よりも、断熱性が高く形成される。
【００１３】
好適には、前記シャツは、胸の真ん中に中央ファスナが形成されている。
【００１４】
好適には、ユーザの肘よりも胴体側に袖部の終端が形成されている。
【００１５】
好適には、吸汗速乾生地により形成される。
【発明の効果】
【００１６】
本発明によれば、熱中症を予防したいユーザ、及び、清涼感を得たいユーザの需要に答えることが可能である。
【図面の簡単な説明】
【００１７】
【図１】本発明の実施形態のシャツの正面側からの説明図である。
【図２】本発明の実施形態のシャツの裏面側からの説明図である。
【図３】本発明の実施形態のシャツに冷却部材が収納された説明図である。
【図４】第２の実施形態の説明図である。
【図５】第３の実施形態の説明図である。
【図６】第４の実施形態の説明図である。
【図７】第５の実施形態の説明図である。
【図８】第６の実施形態の説明図である。
【図９】第７の実施形態の説明図である。
【図１０】第８の実施形態の説明図である。
【図１１】第９の実施形態の説明図である。
【図１２】第１０の実施形態の説明図である。
【図１３】第１１の実施形態の説明図である。
【発明を実施するための形態】
【００１８】
＜第１の実施形態＞
以下、本発明の第１の実施形態を、図１及び図２を用いて詳細に説明する。
図１は、本発明の実施形態のシャツの正面側からの説明図である。
図２は、本発明の実施形態のシャツの裏面側からの説明図である。
【００１９】
図１及び図２のように、シャツ１には、右側袋部２Ｒと左側袋部２Ｌが形成されている。
また、シャツ１は、右側袋部２Ｒと左側袋部２Ｌが形成されていることから、ファッションという観点では問題があるため、その外側に、作業着・上着・Ｙシャツを更に着込むことが多い。そのため、シャツ１は、アンダーウェアであると好適である。
また、シャツ１は炎天下などのユーザが汗を流す環境において使用されることを想定しているので、吸汗速乾生地などが好ましい。
吸汗速乾生地は、それ自体が風を通しやすく放熱作用が強い。
また、吸汗速乾生地は、汗で濡れてもシャツ１とユーザの肌との密着が少なく、汗で濡れた状態でも、布生地のものよりも容易に服を脱ぐことが可能となるために好適である。
【００２０】
同様に、シャツ１は炎天下などのユーザが汗を流す環境において使用されることを想定しているので、袖部分は長袖ではなく半袖又は袖なしが好適である。
半袖とは、具体的に例えば、ユーザの肘よりも胴体側に袖部の終端が形成されているということである。
【００２１】
シャツ１の前側の中央には、上下に伸びる中央ファスナ３が形成されている。
中央ファスナ３は、その金具部を上方向に移動させると左右の生地を接続させ、その金具部を下方向に移動させると左右の生地を離間させる。
この、中央ファスナ３の存在によって、汗に濡れた状態であっても、ユーザは比較的容易にシャツ１を脱ぐことが可能となる。
通常、半袖のアンダーウェアの場合、このような中央ファスナ３が無いＴ型のシャツの形状であるのが一般的であるが、本発明においては、炎天下などの作業時にきわめて多くの汗によって濡れることがあり得るので、Ｔ型のシャツの形状でありながら、中央ファスナ３を設けている。
さらに、本発明のシャツ１は吸汗速乾生地で形成しているため、多少の汗に濡れていても脱ぐことが可能であるが、より脱ぎやすさを求めて、吸汗速乾生地に加えて中央ファスナ３を設ける構成としている。
【００２２】
左側袋部２Ｌは、ユーザの左脇位置に形成している。なお、右側袋部２Ｒの構造は同一であるので説明を省略する。
このように、左側袋部２Ｌをユーザの左脇位置に形成する理由を説明する。
熱中症対策の場合には、ユーザの大きな血管を冷却しないとその効果は極めて低いことが分かっている。例えば、筋肉部分を冷やすことによって清涼感を得ることはできるが、熱中症対策には、効果が低いことが分かっている。
そのため、ユーザの大きな血管を冷やす必要があるが、大きな血管で比較的体の表面側に位置する血管は、首の周り、太ももの内側、脇の下である。
そのうち、太ももは歩行性能を低下させ、かつ、ズボン側であり適切ではない。
次に、首周りを冷やすことはシャツ１においても可能である。しかしながら、首周りに冷却部材５が存在すると、とても目立ってしまうという欠点がある。さらに、首周りに冷却部材５が存在すると、作業性を低下させてしまうおそれがある。
それに対して、脇下は、もともと人間の腕は、力を入れずに下に垂らした状態でも、胴側の脇とある程度離間した状態を保っている。
そのため、冷却部材５が脇の下に存在しても上着等を来ている場合には、その存在が認識されづらく、ファッション性などに影響が出ることも少ない。
さらに、腕が胴側の脇とある程度離間した状態が普通なので、作業に邪魔になるということも少ない。
そのため、脇の下を冷却して、熱中症を予防することが他の事項との関係からも適切である。
【００２３】
そこで、本発明は、ユーザのっ左脇の下部分に左側袋部２Ｌを形成し、ユーザの左脇の下部分に左側袋部２Ｌを形成している。
左側袋部２Ｌは、図１のように、シャツ１に生地を、上側が開いたＵ字側に縫い込むことによって、上側が開いた袋形状を形成している。
この左側袋部２Ｌに入れられる、冷却部材５は、左右の長さよりも上下方向に長い形状をしている。なぜなら、前述のように、脇の下は空いているスペースであるためこの中に左側袋部２Ｌを収納するためである。また、血管の流れの方向がユーザの上下方向であるため、その血管と長い距離の間、左側袋部２Ｌに収納される冷却部材５が接触するためである。
加えて、仮に、左側袋部２Ｌ及びそれに合わせた形状の冷却部材５が、上下の長さよりも左右方向に長い形状をしていた場合には、ユーザの胴体は丸みを帯びた形状であることから、真っすぐに硬直化した冷却部材との干渉があるため、本発明が提示する形状が好適であるといえる。
ここで、冷却部材５のユーザの胸側の端部は、左側ファスナ２１Ｌよりも、ユーザの脇下側に存在する方がより好適である（図４参照のこと、他の実施形態でも同様）。このように形成したことによって、ユーザは容易に保冷剤５を挿入・取り出しが可能となる。
なお、左側ファスナ２１Ｌと左側胸側縫い目２２４Ｌとの間に、保冷剤５が入らない空間ができるため、左側袋部２Ｌ自体は左右方向と上下方向の長さがほぼ同じとなっても良い。
【００２４】
図３は、本発明の実施形態のシャツに冷却部材が収納された説明図である。
【００２５】
図３のように、上下方向に長い左側袋部２Ｌに、上下方向に長い冷却部材５が挿入（保持・収納）される。なお、冷却部材５は例えば、冷却部材があげられるが、これに限らず、冷感作用が生ずるものであればどのようなものであってもよい。例えば、揮発性の物であってもかまわないし、化学反応によって冷却される（吸熱反応）ようなものであっても良い。さらには、電気によって冷却されるものであってもよい。電気で冷却方法としては小型のエアーコンディショナであってもよいし、ペルチェ素子を利用することも考えられる。さらに、小型の扇風機などでも良い。
また、図３のように、冷却部材５は、わずかに左側袋部２Ｌの上端よりも脇側（上側）に突出しているとより好適である。
これによって、脇の中心が直接冷却部材５に接触させることができ、より急速に冷却することができる。逆に、それほど素早く冷却を欲しない場合には、冷却部材５の上下方向の長さを短めに作ることも可能である。
加えて、挿入（保持・収納）した冷却部材５は、当然時間の経過により徐々に溶解し、その形状を保持できなくなるが、このとき、左側袋部２Ｌが、前述の箇所に位置することで、ユーザが例えば何らかの作業中に前傾姿勢になった際などに右側袋部から該冷却部材が滑り落ちるといったケースを防ぐことに資している。
【００２６】
この左側袋部２Ｌには、左側切込み部分２６Ｌ（切込み部分）が形成されている。
この左側切込み部分２６Ｌは上下方向に真っ直ぐに形成されている。
この左側切込み部分２６Ｌに、第１の実施形態では左側ファスナ２１Ｌが形成されている。
左側ファスナ２１Ｌは、上下方向に形成されている。つまり、左側ファスナ２１Ｌは、上下方向に動かすことによって開閉可能に形成されている。
より詳しくは、左側ファスナ２１Ｌのスライダーを上側に移動させることによって、左側ファスナ２１Ｌの左右の生地を固定し、左側ファスナ２１Ｌのスライダーを下側に移動させることによって、左側ファスナ２１Ｌの左右の生地を離間可能な状態としている。
これによって、左右よりも上下方向に長い冷却部材５を迅速に出し入れすることが可能となっている。
これの左側ファスナ２１Ｌが無いと、冷却部材５を取り外しする場合、さらに、取り外した後に別の新しい冷却部材５を再度取り付ける場合に、極めて、ユーザに困難を強いることになる。
具体的には、左側袋部２Ｌは上下に長い構造をしている。さらに、それに収容される冷却部材５も同様に上下に長い構造をしている。そのため、左側ファスナ２１Ｌがない状態では、左側袋部２Ｌに冷却部材５を入れる場合、徐々に押し込むしかなく、極めて時間がかかり、かつ、冷却部材５が一方に寄れてしまうなどの問題が生じやすい。
それに加えて、左側袋部２Ｌの開口方向にはユーザの脇（腕）が存在するため、極めて作業が困難である。
そのため、本発明では、左側ファスナ２１Ｌを設けて、ユーザが極めて簡単に冷却部材５を取り外しする場合、さらに、取り外した後に別の新しい冷却部材５を再度取り付けることを可能としている。
【００２７】
それに加え、左側ファスナ２１Ｌは、ユーザの脇下よりも胸側に形成している。
これは、ユーザが上着を着ている状態で、ユーザが左腕を下げている状態でも、左側ファスナ２１Ｌの操作がユーザが可能なようにしている。
つまり、ユーザが上着を着ている場合、ユーザの脇下部分は、上着とシャツが密着している状態であることが通常であり、この部分に手をいれて作業するのが困難だからである。
さらに、ユーザが左手を上げなければ交換ができないのであれば、交換作業が億劫で交換をしないユーザが出る可能性がある。
これらを防止し、迅速に冷却部材５の交換等を可能とするために、左側ファスナ２１Ｌは、ユーザの脇下よりも胸側に形成することが好適である。
この構造を換言すると、左側切込み部分２６Ｌは、左側袋部２Ｌをシャツ本体１ａに縫い付けている、Ｕ字型の縫込み２２０Ｌのうち、胸側の縫込み部分（図４の左側胸側縫い目２２４Ｌに該当）にきわめて近い位置に形成されているという事ができる。
当然、左側ファスナ２１Ｌも、胸側の縫込み部分にきわめて近い位置に形成されているという事ができる。
【００２８】
また、左側ファスナ２１Ｌが、胸側の縫込み部分（図４の胸側縫い目２２４Ｌに該当）に近い位置に形成されているということは以下の効果を有する。
ファスナの金具を下方向に移動して冷却部材５を出し入れする際に、容易にファスナの金具を移動させることができる。
これは、温まって容易に変形する様になった冷却部材５が左側袋部２Ｌに入っている時に特に効果を発揮する。
つまり、冷却部材５が容易に変形する様になると、ファスナの金具を引き下げることが困難になる。
その際に、胸側の縫込み部分に近い位置にあると、ファスナの布部分の移動可能範囲が限定される。
その為、容易にファスナの金具を引き下げることが可能となる。
【００２９】
本発明は、シャツ１のみであっても、それに適した冷却部材５を別に調達できれば実現可能である。
しかし、より好適には、前述のような形状の冷却部材５とセット販売が適切である。
もちろん、冷却部材５は、想定されるユーザのニーズによって、形状や材料、冷却方法を選択することが可能である。
また、冷却部材５の大きさは、脇下に入る大きさに基本的に制限することが適切であるため、極めて大きいものは適切性が低い。そのため、冷却作用を発揮する時間が短い可能性がある。
そのため、４個以上（偶数が適切である）のセット販売がより適切である。
さらに、使用してない冷却部材５を保管するための、クーラーボックスもセット販売することが適切である。
さらに、熱中症を防止するためには、水分補給も重要であるため、クーラーボックスは、全ての数の冷却部材５を収納するだけではなく、ペットボトル等の水を保管するものも一緒に収納できる収納空間を持つことがより適切である。
【００３０】
＜第２の実施形態＞
図４は、第２の実施形態の説明図である。
【００３１】
図４のように、左側袋部２Ｌは、シャツ１のシャツ本体１ａに左側袋布２０Ｌをあてて、Ｕ字型に縫いこんだことによって形成される。
より具体的には、このＵ字型の縫い目は、左側胸側縫い目２２４Ｌ、左側背中側縫い目２２２Ｌ、及び、左側下側縫い目２２３Ｌから形成される。
左側胸側縫い目２２４Ｌは、ユーザの胸側に上下方向に縫い目が形成される。
左側背中側縫い目２２２Ｌは、ユーザの背中側に上下方向に上下方向に縫い目が形成される。
左側下側縫い目２２３Ｌは、左側胸側縫い目２２４Ｌの下端と、左側背中側縫い目２２２Ｌの下端と、を結ぶ縫い目である。
この、側胸側縫い目２２４Ｌ、左側背中側縫い目２２２Ｌ、及び、左側下側縫い目２２３Ｌによって、Ｕ字形状の袋が形成される。そして、この袋部に冷却部材５が挿入されることになる。
【００３２】
第２の実施形態において、第１の実施形態と異なる点は、左側切込み部分２６Ｌを、下方向に行くに従い、ユーザの脇下部分に近づく様に斜めに形成されている。
これは、左側ファスナ２１Ｌの上側の布が、左側胸側縫い目２２４Ｌにより近い位置に形成することが可能となる。
これによって、第１の実施形態よりも、容易に、ファスナの金具を引き下げることが可能となる。
逆に引き上げるときは、近接した位置にかつ、左側切込み部分２６Ｌの左右の両側部分の移動を阻止する形で、左側下側縫い目２２３Ｌが位置するために、ファスナの金具を左側胸側縫い目２２４Ｌの近傍に配置する必要がない。
その為、斜めに形成することが可能となっている。
【００３３】
＜第３の実施形態＞
図５は、第３の実施形態の説明図である。
【００３４】
第３の実施形態は、左側袋布２０Ｌが２つの布から形成される例である。
具体的には、左側袋布２０Ｌは、第１左側布２２Ｌと第２左側布２３Ｌから形成される。
そして、第１左側布２２Ｌは、左側背中側縫い目２２２Ｌ、及び、左側下側縫い目２２３Ｌによって、シャツ本体１ａに対してＬ字形の左右反転した形状に縫い目が形成される。
また、第２左側布２３Ｌは、第２左側布縫い目２３１Ｌ（左側胸側縫い目２２４Ｌに相当）によって、上下方向に縫い目が形成される。
これらの左側背中側縫い目２２２Ｌ、左側下側縫い目２２３Ｌ、及び、第２左側布縫い目２３１Ｌによって、Ｕ字型の縫い目が形成され、この中に、冷却部材５が収納される。
左側背中側縫い目２２２Ｌ、左側下側縫い目２２３Ｌ、及び、第２左側布縫い目２３１Ｌの長さ・位置・形状・縫い目の方向等は、第１の実施形態及び第２の実施形態とほぼ同一なので、説明を省略する。
このＵ字型の、上側は縫い目がなく、冷却部材５が上方に出る構造となっている。
第１左側布２２Ｌは、ユーザ側の第１左側布ユーザ側面２２Ｌｂと、その反対側で外部側の面である、第１左側布外側面２２Ｌａとを有している。
そして、第１左側布外側面２２Ｌａの、ユーザの胸側端部位置には、上下方向に伸びる、第１左側面ファスナ２２５Ｌが形成される。
また、第２左側布２３Ｌは、ユーザ側の第２左側布ユーザ側面２３Ｌｂと、その反対側で外部側の面である、第２左側布外側面２３Ｌａとを有している。
他方、第２左側布２３Ｌの、第１左側面ファスナ２２５Ｌに対応する位置、かつ、第２左側布ユーザ側面２３Ｌｂには、第２左側面ファスナ２３５Ｌが形成される。
第１左側面ファスナ２２５Ｌと、第２左側面ファスナ２３５Ｌとは、接触すると結合力が生じ、所定の外力が加わらないと離れないことになる。
また、第１左側面ファスナ２２５Ｌと、第２左側面ファスナ２３５Ｌとは、図５（ｂ）のように、第２左側布２３Ｌが、第１左側布外側面２２Ｌａに外側から覆いかぶさる様に、異動させた際に、結合する。
このような形状によって、第１左側布２２Ｌと第２左側布２３Ｌから左側袋布２０Ｌが形成され、冷却部材５を容易に出し入れする事が可能となる。
【００３５】
＜第４の実施形態＞
図６は、第４の実施形態の説明図である。
【００３６】
第４の実施形態は、第３の実施形態と比べると、第１左側布２２Ｌは上側も左側上側縫い目２２１Ｌによって閉じていることが異なる。
更に、第１左側面ファスナ２２５Ｌと、第２左側面ファスナ２３５Ｌの形成される面が、第３の実施形態とは反対側の面に形成されていることが異なる。
それによって、コ字形状の袋部内に冷却部材５を入れて、更に、このコ字形状の袋内に、第２左側布２３Ｌを挿入することによって、第１左側面ファスナ２２５Ｌと、第２左側面ファスナ２３５Ｌが結合する。
このような形状によって、第１左側布２２Ｌと第２左側布２３Ｌから左側袋布２０Ｌが形成され、冷却部材５を容易に出し入れする事が可能となる。
【００３７】
＜第５の実施形態＞
図７は、第５の実施形態の説明図である。
【００３８】
第５の実施形態は、第３の実施形態（図５）と比べると、第２左側布２３Ｌが無く、第１左側布２２Ｌのみからなる点が異なる。
そして、第１左側布２２Ｌの第１左側布ユーザ側面２２Ｌｂ側に第１左側面ファスナ２２５Ｌが形成される。
そして、シャツ本体１ａの第１左側面ファスナ２２５Ｌに対応する位置に、左側シャツ本体面ファスナ２２６Ｌが形成される。
そして、図７（ｂ）のように、第１左側布２２Ｌを引き剥がして、その空間に冷却部材５をいれて、第１左側布２２Ｌをもとに戻すことによって、冷却部材５を収納及び出し入れすることが可能となる。
【００３９】
＜第６の実施形態＞
図８は、第６の実施形態の説明図である。
【００４０】
第６の実施形態は、図８の様に、左側ファスナ２１Ｌをユーザの胸側から上側にかけて形成する。
これによって、冷却部材５を容易に出し入れする事が可能となる。
【００４１】
＜第７の実施形態＞
図９は、第７の実施形態の説明図である。
【００４２】
第７の実施形態は、図９の様に、左側ファスナ２１Ｌの両サイドに、他の部分よりも強度の高い板状の材料である、左側胸側板部材２４１Ｌと左側脇側板部材２４２Ｌとを設ける。
このようにすることによって、左側ファスナ２１Ｌを下げる際に、冷却部材５が柔らかくなっていても容易に左側ファスナ２１Ｌを下げることが可能となる。
なお、左側胸側板部材２４１Ｌはこの第７の実施形態においては、必須であるが、左側脇側板部材２４２Ｌは必須ではない。
【００４３】
＜第８の実施形態＞
図１０は、第８の実施形態の説明図である。
【００４４】
第８の実施形態は、第１左側布２２Ｌを形成する布を２重構造としている。
つまり、第１左側布２２Ｌは、ユーザからみて外側の布である左側外側布２２ＬＢと、ユーザからみて内側の布である左側内側布２２ＬＡとを有する。
そして、左側内側布２２ＬＡを断熱性の高い材質から形成する。例えば、アルミ膜などである。
この実施形態の別の形態として、第１左側布２２Ｌ自体を断熱性の高い材質から形成することも可能である。また、左側外側布２２ＬＢを断熱性の高い材質で形成することも可能である。３重構造であって、例えば、中間を断熱性の高い物質で形成しても良い。
つまり、冷却部材５が無駄に外気に冷気を逃がすことが可能な構造であればどのような構造であっても良い。
このような構造を有することから、冷却部材５の低温をより効率よく利用することができる。
なお、この構造は、他の実施形態全てに同時に採用することが可能である。
【００４５】
＜第９の実施形態＞
図１１は、第９の実施形態の説明図である。
【００４６】
図１１のように、タンクトップに用いることも可能である。
【００４７】
＜第１０の実施形態＞
図１２は、第１０の実施形態の説明図である。
【００４８】
図１２（ａ）及び図１３（ｂ）のように、女性用の各種の下着等に用いることが可能である。
＜第１１の実施形態＞
図１３は、第１１の実施形態の説明図である。
【００４９】
図１３のように、シャツ本体１ａの内部に右側袋部２Ｒと左側袋部２Ｌを形成し、ファスナのみを外部に露出させることも可能である。これによって、よりファッション性を増すことができる。つまり、冷却部材５（右側袋部２Ｒと左側袋部２Ｌ）の存在をより目立たなくすることができる。
【００５０】
以上の、形状、材質、その他は発明の趣旨を逸脱しない範囲で、いかようにも変更可能である。吸汗速乾性のある生地であることが望ましいが、この点も限定されない。吸汗速乾性のある生地を更にメッシュ構造とすることも、更に、単なるメッシュ構造とすることも可能である。つまり、生地はどのようなものであっても採用可能である。
なお、実施形態では、冷却のみを記載してきたが、冷却部材５の代わりにカイロ等を収納して暖房として利用することも、発展的な発明として可能であることも言うまでもない。
その為、本発明における温調節部材の一例が、冷却部材５である。つまり、本発明における温調節部材とは、ユーザの体温を調節できるものであればどのようなものであってもよい。
【００５１】
本発明のウェアの一例が、シャツ、上着、Ｙシャツ、Ｔシャツ、タンクトップ、ジャージの上半身部分、ブラジャー、キャミソール、スポーウェアの上半身部分等である。つまり、本発明のウェアとは、ユーザが上半身に身につけるものであればどのようなものであっても良い。更に、本発明のウェアは、コート、ガウン等の、上半身から下半身まで続くものであっても、上半身部分も存在するものであればどのようなものであっても良い。
【符号の説明】
【００５２】
５      ：冷却部材（体温調節部材）
２１Ｌ  ：左側ファスナ
１        ：シャツ（ウェア）
１ａ      ：シャツ本体
２Ｌ      ：左側袋部
２Ｒ      ：右側袋部
３        ：中央ファスナ
５        ：冷却部材（体温調節部材）
２０Ｌ    ：左側袋布
２１Ｌ    ：左側ファスナ
２２Ｌ    ：第１左側布
２２ＬＡ  ：左側内側布
２２ＬＢ  ：左側外側布
２２Ｌａ  ：第１左側布外側面
２２Ｌｂ  ：第１左側布ユーザ側面
２３Ｌ    ：第２左側布
２３Ｌａ  ：第２左側布外側面
２３Ｌｂ  ：第２左側布ユーザ側面
２６Ｌ    ：左側切込み部分
２２０Ｌ  ：縫込み
２２５Ｌ  ：第１左側面ファスナ
２２６Ｌ  ：左側シャツ本体面ファスナ
２３５Ｌ  ：第２左側面ファスナ
２４１Ｌ  ：左側胸側板部材
２４２Ｌ  ：左側脇側板部材
【図１】
2018044251.tif 000003
【図２】
2018044251.tif 000004
【図３】
2018044251.tif 000005
【図４】
2018044251.tif 000006
【図５】
2018044251.tif 000007
【図６】
2018044251.tif 000008
【図７】
2018044251.tif 000009
【図８】
2018044251.tif 000010
【図９】
2018044251.tif 000011
【図１０】
2018044251.tif 000012
【図１１】
2018044251.tif 000013
【図１２】
2018044251.tif 000014
【図１３】
2018044251.tif 000015